(57)【要約】【課題】本考案は、持ち運びやすい箱および該箱のブランクシートを提供する。【解決手段】本考案による箱１０は、底壁部１１と、前記底壁部１１を取り囲む側壁部と、切れ込み部および折り曲げ部を有し、前記側壁部から前記底壁部１１に亘って形成される持ち手部１５とを備えることを特徴とするものである。【選択図】図１
0003201304.tif 000002
【実用新案登録請求の範囲】
【請求項１】
底壁部と、
前記底壁部を取り囲む側壁部と、
切れ込み部および折り曲げ部を有し、前記側壁部から前記底壁部に亘って形成される持ち手部と
を備えることを特徴とする箱。
【請求項２】
前記切れ込み部は、隔てた２本の切れ込み線を有し、
前記折り曲げ部は、
前記切れ込み線の間に形成され、
前記底壁部において、前記切れ込み線の一方の端部に形成され前記切れ込み線と交差する方向に延在する第１折り曲げ線と、
前記底壁部において、前記第１折り曲げ線と離れて形成され前記切れ込み線と交差する方向に延在する第２折り曲げ線と、
前記側壁部において、前記切れ込み線の他方の端部に形成され前記切れ込み線と交差する方向に延在する第３折り曲げ線と、
前記側壁部において、前記第３折り曲げ線と離れて形成され前記切れ込み線と交差する方向に延在する第４折り曲げ線と、
前記切れ込み線と、前記第１折り曲げ線と、前記第２折り曲げ線と、によって仕切られる第１面と、
前記切れ込み線と、前記第２折り曲げ線と、前記第４折り曲げ線と、によって仕切られる第２面と、
前記切れ込み線と、前記第３折り曲げ線と、前記第４折り曲げ線と、によって仕切られる第３面と、を有し、
前記折り曲げ部は、前記第２面の一部および前記第１面が前記底壁部から突出し、且つ、前記第３面が側壁部に対して内側に入るように、前記第１折り曲げ線、前記第２折り曲げ線、前記第３折り曲げ線、および前記第４折り曲げ線にて折り曲がることを特徴とする請求項１に記載の箱。
【請求項３】
請求項１または請求項２に記載の箱のブランクシートであって、
相互に平行な一対の第１折り罫線と、
前記持ち手部を跨いでそれぞれ形成され、前記一対の第１折り罫線と直交する相互に平行な一対の第２折り罫線と、
前記一対の第１折り罫線と、前記一対の第２折り罫線と、前記一対の第２折り罫線のうち前記持ち手部を跨いだ部分を連結した一対の連結線と、によって仕切られる底壁部と、
前記底壁部から前記一対の第１折り罫線を介してそれぞれ延在する一対の第１側壁部と、
前記一対の第２折り罫線および前記一対の連結線により構成される一対の線を介して前記底壁部からそれぞれ延在する一対の第２側壁部と、を有し、
一対の前記持ち手部が、前記一対の第１側壁部および前記一対の第２側壁部のうち少なくとも一対の側壁部から前記底壁部に亘ってそれぞれ向かい合うように形成されることを特徴とするブランクシート。
【考案の詳細な説明】
【技術分野】
【０００１】
本考案は、箱および該箱のブランクシートに関する。特に、持ち運びを容易にするために形状に改良を施した箱および該箱のブランクシートに関する。
【背景技術】
【０００２】
従来、物品の運搬にあたって、汚れたり傷ついたりしないように、物品を収容するための段ボールなどの箱（以下、箱ともいう）が広く使用されている。物品が収容された箱は、一般に、底面付近を手で持って運搬される。しかし、収容後の箱の重量は、収容される物品の重量に応じて変化し、箱が重いと箱の底面が変形して運搬者にとって持ち運びにくい形状となるおそれがある。また、箱の形状は、収容される物品の形状、大きさ等に応じて選択され、箱自体が持ちにくい形状となる場合もある。
【０００３】
そこで、持ち運びやすさを向上させるため、手に掛けて持つための穴を側壁に形成した箱の一例が特許文献１に開示されている。
【先行技術文献】
【特許文献】
【０００４】
【特許文献１】特開２０１５−１３１６４８号公報
【考案の概要】
【考案が解決しようとする課題】
【０００５】
特許文献１に記載の箱のように、側壁に形成された穴を手に掛けて持つことで容易に持ち運び可能にしたものが知られる一方、これとは異なる手法によって容易に持ち運ぶことが可能となるように、箱の側壁や底壁の形状に改良を施すことが求められている。
【０００６】
本考案の目的は、持ち運びやすい箱および該箱のブランクシートを提供することにある。
【課題を解決するための手段】
【０００７】
本考案による箱は、底壁部と、底壁部を取り囲む側壁部と、切れ込み部および折り曲げ部を有し、側壁部から底壁部に亘って形成される持ち手部とを備えることを特徴とするものである。
【０００８】
また、本考案によるブランクシートは、本考案による箱のブランクシートであって、相互に平行な一対の第１折り罫線と、持ち手部を跨いでそれぞれ形成され、一対の第１折り罫線と直交する相互に平行な一対の第２折り罫線と、一対の第１折り罫線と、一対の第２折り罫線と、一対の第２折り罫線のうち持ち手部を跨いだ部分を連結した一対の連結線と、によって仕切られる底壁部と、底壁部から一対の第１折り罫線を介してそれぞれ延在する一対の第１側壁部と、一対の第２折り罫線および一対の連結線によって構成される一対の線を介して底壁部からそれぞれ延在する一対の第２側壁部と、を有し、一対の持ち手部が、一対の第１側壁部および一対の第２側壁部のうち少なくとも一対の側壁部から底壁部に亘ってそれぞれ向かい合うように形成されることを特徴とするものである。
【考案の効果】
【０００９】
本考案によれば、側壁部から底壁部に亘って持ち手部を設けることにより、箱が持ちやすくなり、箱の可搬性を向上させることが可能となる。
【図面の簡単な説明】
【００１０】
【図１】本考案の一実施形態に係る箱の斜視図である。
【図２】本考案の一実施形態に係る箱を展開したブランクシートの平面図である。
【図３】本考案の一実施形態に係る箱の組立工程の一例を説明するための図である。
【図４】本考案の一実施形態に係る箱の組立工程の一例を説明するための図である。
【図５】図１に示す箱の持ち手部付近の断面図であり、（ａ）は図１のＶａ−Ｖａ方向断面図、（ｂ）は図１のＶｂ−Ｖｂ方向断面図、（ｃ）は図５（ａ）に示す断面図が持ち手部の折り曲げに伴って変化した一例、（ｄ）は図５（ｂ）に示す断面図が持ち手部の折り曲げに伴って変化した一例をそれぞれ示す。
【図６】図５に示す箱の持ち手部を底壁部側から見た斜視図であり、（ａ）は、図５（ａ）および図５（ｂ）で示す持ち手部、（ｂ）は、図５（ｃ）および図５（ｄ）で示す持ち手部をそれぞれ示す。
【図７】本考案の一実施形態に係る、折り曲げ後の持ち手部を持って箱を抱えている状態の一例を示す図である。
【考案を実施するための形態】
【００１１】
以下、図面を参照しながら本考案を実施するための形態を詳細に説明する。
【００１２】
＜構造＞  
図１に本考案の一実施形態に係る箱１０の斜視図を示し、図２に本実施形態に係る箱１０を展開したブランクシート１０Ｂの平面図を示す。本実施形態に係る箱１０は、例えば、缶、瓶、袋などに封入された食品または飲料や、野菜または果実類等の物品が収容可能である。
【００１３】
本実施形態に係る箱１０は、底壁部１１と、底壁部１１から直角に立ち上がり底壁部１１を取り囲む一対の第１側壁部１２および一対の第２側壁部１３と、一対の第１側壁部１２から延在する二対の側壁補強部１６と、一対の第２側壁部１３から延在する一対の重ね部１３Ｒおよび一対の内壁部１４と、一対の第２側壁部１３から底壁部１１に亘って形成される一対の持ち手部１５と含んで構成される。
【００１４】
本実施形態に係るブランクシート１０Ｂにおいて、一対の第１側壁部１２は、底壁部１１から相互に平行な一対の第１折り罫線ＣＬ１を介してそれぞれ延在する。第２折り罫線ＳＬ２は、図２に示すように、持ち手部１５を跨いで形成され、一対の第２折り罫線ＳＬ２は、第１折り罫線ＣＬ１と直交するように、且つ、相互に平行となるように形成される。第２側壁部１３は、第２折り罫線ＳＬ２および第２折り罫線ＳＬ２のうち持ち手部１５を跨いだ部分を連結した連結線により構成された線（以下、連結した第２折り罫線ＳＬ２ともいう）を介して底壁部１１から延在する。底壁部１１は、一対の第１折り罫線ＣＬ１と、一対の連結した第２折り罫線ＳＬ２とによって仕切られ、矩形の形状を呈する。本実施形態に係るブランクシート１０Ｂは、底壁部１１と第１側壁部１２との境界を画成する第１折り罫線ＣＬ１が段ボールの縦罫線（いわゆる、クリーズ）となり、底壁部１１と第２側壁部１３との境界線の一部である第２折り罫線ＳＬ２が段ボールの横罫線（いわゆる、スコア）となるように設定されている。尚、罫線の形成方向は、これに限られず、持ち運びやすいという本考案の目的を達成しうるものであれば、いずれの方向に形成されても良い。
【００１５】
本実施形態では、底壁部１１には、後述する二対の係止突起１４Ｐが差し込み可能な二対のスリット部１７が形成される。スリット部１７は、例えば、底壁部１１を切り抜いて穴を形成することで設けられる。
【００１６】
重ね部１３Ｒは、第２側壁部１３から第３折り罫線ＳＬ３を介して、内壁部１４は、重ね部１３Ｒから第４折り罫線ＳＬ４を介して、それぞれ第１側壁部１２と平行に延在する。内壁部１４には、切り欠き部１４Ａと、一対のスリット部１７に差し込むことが可能な一対の係止突起１４Ｐと、が設けられる。尚、この切り欠き部１４Ａの切り欠きの大きさを変えることで、後述する持ち手部１５の折り曲げ範囲を規定しても良い（図５を参照）。
【００１７】
一対の側壁補強部１６は、第１側壁部１２から一対の第５折り罫線ＳＬ５を介してそれぞれ第２側壁部１３と平行に延在する。図１に示す組立状態において、側壁補強部１６は、第２側壁部１３と内壁部１４とで挟まれた状態となっている。本実施形態に係るブランクシート１０Ｂにおいて、第１折り罫線ＣＬ１と平行な方向における側壁補強部１６の長さや形状は、持ち手部１５の折り曲げの妨げにならないものになっている。
【００１８】
持ち手部１５は、箱１０の側壁から底壁に亘って形成される。一対の持ち手部１５は、一対の第２側壁部１３から底壁部１１に亘ってそれぞれ向かい合うように形成される。持ち手部１５は、切れ込み部および折り曲げ部を有する。
【００１９】
切れ込み部は、隔てた２本の切れ込み線Ｃ１を有する。本実施形態では、一対の切れ込み線Ｃ１は、第２側壁部１３から底壁部１１に亘って破断され、または、破断可能な相互に平行な切れ込み線で構成される。尚、一対の切れ込み線は、持ちやすくなるという本考案の効果が発揮されうるのであれば、相互に平行でなくともよい。
【００２０】
折り曲げ部は、２本の切れ込み線Ｃ１の間に形成される。折り曲げ部は、底壁部１１にそれぞれ形成される第１折り曲げ線Ｌ１および第２折り曲げ線Ｌ２と、第２側壁部１３に形成される第３折り曲げ線Ｌ３および第４折り曲げ線Ｌ４と、底壁部１１に含まれる第１面１１ａと、底壁部１１から第２側壁部１３に亘って形成される第２面１８と、第２側壁部１３に含まれる第３面１３ａと、を有する。第１折り曲げ線Ｌ１は、底壁部１１において、切れ込み線Ｃ１の一方の端部に形成され切れ込み線Ｃ１と交差する方向に延在するように設けられ、第２折り曲げ線Ｌ２は、底壁部１１において、第１折り曲げ線Ｌ１と離れて形成され切れ込み線Ｃ１と交差する方向に延在するように設けられる。また、第３折り曲げ線Ｌ３は、第２側壁部１３において、切れ込み線Ｃ１の他方の端部に形成され切れ込み線Ｃ１と交差する方向に延在するように設けられ、第４折り曲げ線Ｌ４は、第２側壁部１３において、第３折り曲げ線Ｌ３と離れて形成され切れ込み線Ｃ１と交差する方向に延在するように設けられる。本実施形態では、第１折り曲げ線Ｌ１、第２折り曲げ線Ｌ２、第３折り曲げ線Ｌ３、および第４折り曲げ線Ｌ４は、相互に平行であり、切れ込み線Ｃ１と直交する方向にそれぞれ延在する。
【００２１】
第１面１１ａは、２本の切れ込み線Ｃ１と、第１折り曲げ線Ｌ１と、第２折り曲げ線Ｌ２と、によって仕切られ、第２面１８は、２本の切れ込み線Ｃ１と、第２折り曲げ線Ｌ２と、第４折り曲げ線Ｌ４と、によって仕切られる。また、第３面１３ａは、２本の切れ込み線Ｃ１と、第３折り曲げ線Ｌ３と、第４折り曲げ線Ｌ４と、によって仕切られる。
【００２２】
図１に示すように、持ち手部１５の第２面１８の一部および第３面１３ａは、第２側壁部１３に対して外方へ突出している。本実施形態では、この突出した部分を押すことによって、持ち手部１５の折り曲げ部が折り曲がり、後述するような持ちやすい形状となることが可能となっている。また、本実施形態に係るブランクシート１０Ｂでは、第４折り曲げ線Ｌ４は、第２折り罫線ＳＬ２の延長線上に形成されない。このように、第４折り曲げ線Ｌ４を第２折り罫線ＳＬ２とずらして形成（図２では第２側壁部１３側に形成）することで、第２面１８の一部および第３面１３ａが第２側壁部１３の外方へ突出することが可能となっている。
【００２３】
＜組立＞  
図３および図４は、本考案の一実施形態に係る箱１０の組立工程の一例を説明するための図であり、図３は、各折り罫線を折り曲げる過程におけるブランクシート１０Ｂ、図４は、係止突起１４Ｐをスリット部１７に差し込む前におけるブランクシート１０Ｂ、をそれぞれ示す。
【００２４】
図２に示すブランクシート１０Ｂにおいて、先ず、第１側壁部１２を底壁部１１に対して第１折り罫線ＣＬ１から折り曲げ、側壁補強部１６を第１側壁部１２に対して第５折り罫線ＳＬ５から折り曲げる。次に、第２側壁部１３を底壁部１１に対して第２折り罫線ＳＬ２から折り曲げつつ、持ち手部１５の第３面１３ａを第２面１８に対して第４折り曲げ線Ｌ４から折り曲げる。その後、重ね部１３Ｒを第２側壁部１３に対して第３折り罫線ＳＬ３から折り曲げ、内壁部１４を重ね部１３Ｒに対して第４折り罫線ＳＬ４から折り曲げることにより、ブランクシート１０Ｂは、図２に示す状態から、図３に示す状態へと折り曲げられる。
【００２５】
続いて、図３に示すブランクシート１０Ｂにおいて、第１側壁部１２を底壁部１１に対して直角に立ち上がるように第１折り罫線ＣＬ１から折り曲げ、側壁補強部１６を第１側壁部１２に対して直角になるように第５折り罫線ＳＬ５から折り曲げる。そして、第２側壁部１３を底壁部１１に対して直角に立ち上げ、且つ、側壁補強部１６に当接するように第２折り罫線ＳＬ２から折り曲げることにより、ブランクシート１０Ｂは、図３に示す状態から、図４に示す状態へと折り曲げられる。このとき、持ち手部１５の第２面１８の一部および第３面１３ａは、第２側壁部１３に対して外方へ突出している状態となる。
【００２６】
次に、図４に示すブランクシート１０Ｂにおいて、一対の側壁補強部１６を第２側壁部１３と内壁部１４とでそれぞれ挟むように、第３折り罫線ＳＬ３および第４折り罫線ＳＬ４からそれぞれ折り曲げ、一対の係止突起１４Ｐを一対のスリット１７へそれぞれ差し込むことにより、ブランクシート１０Ｂは、図４に示す状態から、図１に示す箱１０の状態へと折り曲げられ組立てられる。
【００２７】
＜持ち手部＞  
図５は、図１に示す箱の持ち手部１５付近の断面図であり、図５（ａ）は図１のＶａ−Ｖａ方向断面図、図５（ｂ）は図１のＶｂ−Ｖｂ方向断面図、図５（ｃ）は図５（ａ）に示す断面図が持ち手部１５の折り曲げに伴って変化した一例、図５（ｄ）は図５（ｂ）に示す断面図が持ち手部１５の折り曲げに伴って変化した一例をそれぞれ示す。また、図６は、図５に示す箱１０の持ち手部１５を底壁部１１側から見た斜視図であり、図６（ａ）は、図５（ａ）および図５（ｂ）で示す持ち手部１５、図６（ｂ）は、図５（ｃ）および図５（ｄ）で示す持ち手部１５をそれぞれ示す。また、図７は、本考案の一実施形態に係る、折り曲げ後の持ち手部１５を持って箱１０を抱えている状態の一例を示す図である。図５では、説明の便宜上、箱１０に物品２０（図中、太い二点鎖線で表す）を収容させている。図５（ｃ）および図５（ｄ）では、折り曲げ前の図５（ａ）および図５（ｂ）に示す持ち手部１５の断面を細い二点鎖線でそれぞれ表す。また、図６（ａ）および図６（ｂ）に示すように、一対の切れ込み線Ｃ１を第２側壁部１３から底壁部１１に形成することによって、底壁部１１および第２側壁部１３側に第１切れ込み線Ｃ１ａが形成され、持ち手部１５側に第２切れ込み線Ｃ１ｂが形成されることがわかる。
【００２８】
持ち手部１５の折り曲げ部は、図５（ａ）および図６（ａ）に示すように、第２面１８の一部および第３面１３ａが第２側壁部１３に対して外方へ突出するように、第４折り曲げ線Ｌ４にて折り曲がる。具体的には、持ち手部１５の折り曲げ部において、第２面１８が第３面１３ａに対して第４折り曲げ線Ｌ４から内側に折り曲がる（谷折り）。
【００２９】
本実施形態では、第２側壁部１３に対して外方へ突出した部分（例えば、第３面１３ａ）を押すことによって、持ち手部１５の折り曲げ部の形状を変化させ、運搬者が持ちやすい形状に折り曲げることが可能となっている。本実施形態では、この突出した部分を押すことによって、持ち手部１５の折り曲げ部の形状を、例えば、図５（ａ）、図５（ｂ）に示す形状から図５（ｃ）、図５（ｄ）に示す形状にそれぞれ変化させることが可能となっている。
【００３０】
具体的には、持ち手部１５の折り曲げ部は、図５（ｃ）および図６（ｂ）に示すように、第２面１８の一部および第１面１１ａが底壁部１１から突出し、且つ、第３面１３ａが第２側壁部１３に対して内側に入るように、第１折り曲げ線Ｌ１、第２折り曲げ線Ｌ２、第３折り曲げ線Ｌ３、および第４折り曲げ線Ｌ４にて折り曲げることが可能である。つまり、持ち手部１５の折り曲げ部において、第１面１１ａが底壁部１１に対して第１折り曲げ線Ｌ１から外側に折り曲がり（山折り）、第２面１８が第１面１１ａに対して第２折り曲げ線Ｌ２から内側に折り曲がり（谷折り）、第３面１３ａが第２面１８に対して第４折り曲げ線Ｌ４から内側に折り曲がり（谷折り）、同じく第３面１３ａが第２側壁部１３に対して第３折り曲げ線Ｌ３から内側に折り曲がる（谷折り）。
【００３１】
本実施形態では、図５（ｃ）および図６（ｂ）に示すように、第１折り曲げ線Ｌ１、第２折り曲げ線Ｌ２、第３折り曲げ線Ｌ３、および第４折り曲げ線Ｌ４の４つの折り曲げ線のうち、第１折り曲げ線Ｌ１のみ山折り線で、残りの３つの折り曲げ線については谷折り線となっている。この構成により、谷折り線となった第２折り曲げ線Ｌ２付近に指を引っ掛け、手のひらで第２面１８を支えて持つことが可能となり、持ち運びやすさを向上させている。
【００３２】
本実施形態では、図５（ｂ）および図５（ｄ）に示すように、側壁補強部１６が持ち手部１５の第３面１３ａに当接しない範囲に形成され、第２側壁部１３と内壁部１４との間に空間ができるため、第３面１３ａを、第２側壁部１３の内側の方に折れ曲げることを可能にしている。また、図５（ｃ）に示すように、切り欠き部１４Ａを設けることによって、第３面１３ａは、箱１０に収容された物品２０に接触しない範囲において、第２側壁部１３の内側の方に折れ曲がることが可能となっている。よって、運搬者が持ちやすい形状を選択できるように、第３面１３ａの位置を変更、すなわち、折り曲げ部の折り曲げ具合を調整することが可能となっている。
【００３３】
本実施形態に係るブランクシート１０Ｂにおいて、第４折り曲げ線Ｌ４を第２折り罫線ＳＬ２とずらして形成することで、本実施形態に係る箱１０における第２面１８と第３面１３ａとで形成される角度θが９０度未満となっている。ここで、ブランクシート１０Ｂにおいて、仮に、第４折り曲げ線Ｌ４を第２折り罫線ＳＬ２の延長線上に形成した場合、第２面１８と第３面１３ａとで形成される角度θは９０度となり、第２側壁部１３に対して外方へ突出した部分は形成されず、第３面１３ａと第２側壁部１３とは同一平面上に存することになる。
【００３４】
本実施形態に係る箱１０では、第２側壁部１３に対して外方へ突出した部分が形成され、第３面１３ａが第２側壁部１３に対して斜め上方へ向くように配置されることになるため、第３面１３ａを押しやすくなり、その結果、持ち手部１５の折り曲げ部を折り曲げやすくなっている。
【００３５】
持ち手部１５がこのような形状になることにより、図７に示すように、両手（図７では、右手を３０Ｒ、左手を３０Ｌとして表す）が箱１０の底壁部１１の奥の方に入り込むことが可能となるため、箱１０を支えやすくなり、容易に持ち運ぶことが可能となる。したがって、本実施形態によれば、箱の持ち手部が持ちやすい形状となることにより、箱の可搬性を向上させることが可能となる。尚、持ち手部１５を形成する第１折り曲げ線Ｌ１、第２折り曲げ線Ｌ２、第３折り曲げ線Ｌ３、および第４折り曲げ線Ｌ４の各間隔については、適宜定められるものであり、運搬者の手の大きさや指の関節の間隔に合うように設計されることが好ましい。
【００３６】
＜その他＞  
本考案は、上述した実施形態や、随所に述べた変形例に限られることなく、本考案の技術的思想から逸脱しない範囲で、適宜の変更や変形が可能である。
【００３７】
例えば、上記実施形態に係る箱１０は、天面側にフラップ部が設けられていないものであるが、持ち手部１５が形成される箱の底壁部が一枚板であり且つフラット形状であるという条件を満たせば、天面側にフラップ部が設けられた箱（例えば、蓋付きの箱）であっても、側壁部から底壁部に亘って持ち手部１５を設けても良い。
【００３８】
加えて、上記実施形態に係る箱１０の底壁部１１は、矩形となっているがこれに限られず、例えば、三角形、六角形などの多角形、円形などの曲線から構成される形状であってもよい。例えば、底壁部の形状が円形である場合、側壁部は、例えば、１枚の側板で構成され、底壁部から立ち上がって円柱形状を呈し、底壁部を取り囲むように構成されうる。
【００３９】
また、上記実施形態では、一対の持ち手部１５が、一対の第２側壁部１３から底壁部１１に亘って設けられているが、これに限られず、持ち手部１５を、複数対設けても良いし、一対の第１側壁部１２から底壁部１１に亘って形成してもよい。例えば、一対の第２側壁部１３から底壁部１１に亘って二対の持ち手部１５を設け、複数の運搬者がその持ち手部１５を持って箱を運搬するようにしてもよい。
【００４０】
上記実施形態では、持ち手部１５を形成する折り曲げ線のうち谷折り線（例えば、第２折り曲げ線Ｌ２）については、箱の組立用の罫線、つまり、第１折り罫線ＣＬ１から第５折り罫線ＳＬ５と同時に一方向からプレスして設けることが可能である。一方、持ち手部１５を形成する折り曲げ線のうち山折り線（例えば、第１折り曲げ線Ｌ１）については、逆折り、つまり、罫線を入れた方向と逆に折り曲げることになって折れにくいため、いわゆる、リード罫（罫線上に断続的な切れ目を入れたもの）で構成してもよい。また、山折り線、谷折り線双方とも、このリード罫であってもよい。
【００４１】
上記実施形態に係る箱１０およびブランクシート１０Ｂの材質は、段ボール製であるが、これに限られず、持ち運びやすいという効果を発揮できるものであれば、どのような素材を使用してもよく、例えば、プラスチック製のものであってもよい。
【００４２】
上記実施形態では、４つの側壁部が底壁部１１から直角に立ち上がっているが、これに限られず、持ちやすいという本考案の所期の目的を達成しうるものであれば、底壁部１１に対してどのような角度で立ち上がっても良い。
【００４３】
上記実施形態では、第１折り曲げ線Ｌ１が山折り線、第２折り曲げ線Ｌ２が谷折り線となっているが、第１折り曲げ線Ｌ１を谷折り線、第２折り曲げ線Ｌ２を山折り線としてもよい。この構成によって、第１面１１ａおよび第２面１８により箱１０の底壁部１１に窪みが形成され、その窪みに指を掛けることが可能となる結果、箱１０を持ちやすくすることも可能である。
【００４４】
上記実施形態では、第４折り曲げ線Ｌ４は、第２折り罫線ＳＬ２の延長線上とならないように、ずらして形成されているが、持ち運びやすくなるという効果を発現しうるものであれば、第２折り罫線ＳＬ２の延長線上に形成されることを許容するものである。
【符号の説明】
【００４５】
１０  箱
１０Ｂ  ブランクシート
１１  底壁部
１２  第１側壁部
１３  第２側壁部
１３Ｒ  重ね部
１４  内壁部
１４Ａ  切り欠き部
１４Ｐ  係止突起
１５  持ち手部
１６  側壁補強部
１７  スリット部
２０  物品
Ｃ１  切れ込み線
ＣＬ１  第１折り罫線
Ｌ１  第１折り曲げ線
Ｌ２  第２折り曲げ線
Ｌ３  第３折り曲げ線
Ｌ４  第４折り曲げ線
ＳＬ２  第２折り罫線
ＳＬ３  第３折り罫線
ＳＬ４  第４折り罫線
ＳＬ５  第５折り罫線
【図１】
0003201304.tif 000003
【図２】
0003201304.tif 000004
【図３】
0003201304.tif 000005
【図４】
0003201304.tif 000006
【図５】
0003201304.tif 000007
【図６】
0003201304.tif 000008
【図７】
0003201304.tif 000009